(57)【要約】      （修正有）【課題】上下階をスクリーン部材で開閉可能とし、空気の流通量、遮音や遮光性能を自在に変えられる吹き抜け構造を提供する。【解決手段】吹き抜け１０とリビングルーム１１ａの空間との境界周縁を構成し、対向している側壁の境界周縁に沿って一対のレール部１４，１４が設けられ、一対のレール部１４，１４間に架け渡され、かつ、一対のレール部１４，１４に沿って移動可能な遮蔽部Ｓを備え、遮蔽部Ｓは複数のスクリーン部材１５によって構成され、一対のレール部１４，１４に沿って摺動可能かつ摺動方向に回動可能に設けられ、未使用時には全てのスクリーン部材１５がレール部１４，１４の一端側に重畳状態で収納され、使用時には全てのスクリーン部材１５が一対のレール部１４，１４に沿って等間隔に配置され、等間隔の状態で全てのスクリーン部材１５を平行状態に保ちつつ連動させて回動させることにより各スクリーン部材１５間の隙間量を可変自在とした。【選択図】図２
2008285816.tif 000002
【特許請求の範囲】
【請求項１】
住宅の居室上部に吹き抜け空間が設けられ、
該吹き抜け空間と前記居室の空間との境界周縁を構成しかつ対向している側壁に前記境界周縁に沿って一対のレール部材が設けられ、
該一対のレール部材間に架け渡されかつ前記一対のレール部材に沿って移動可能な遮蔽部によって前記居室の空間と前記吹き抜け空間との間を遮蔽可能する遮蔽装置が備えられた吹き抜け構造であって、
前記遮蔽部は、前記架け渡し方向に長い平面視略長方形状の複数の仕切部材によって構成され、該複数の仕切部材はそれぞれ前記一対のレール部材間に架け渡され、該一対のレール部材に沿って摺動可能かつ該摺動方向に回動可能に設けられて、
前記遮蔽装置の未使用時には、前記全ての仕切部材が前記レール部材の一端側に重畳状態で収納され、
前記遮蔽装置の使用時には、前記全ての仕切部材が前記一対のレール部材に沿って等間隔に配置され、該等間隔の状態で前記全ての仕切部材を平行状態に保ちつつ連動させて回動させることによって前記各仕切部材間の隙間量を変化可能とすることを特徴とする吹き抜け構造。
【請求項２】
前記仕切部材が防音断熱性を有していることを特徴とする請求項１に記載の吹き抜け構造。
【請求項３】
前記仕切部材が透光性を有していることを特徴とする請求項１または請求項２に記載の吹き抜け構造。
【請求項４】
前記仕切部材が遮光性を有していることを特徴とする請求項１または請求項２に記載の吹き抜け構造。
【発明の詳細な説明】
【技術分野】
【０００１】
本発明は吹き抜け構造に関する。
【背景技術】
【０００２】
従来から、一般の住宅において、例えば図１に示すように、一階のリビングルームを吹き抜けにすることによって、このリビングルームに解放感をもたせる吹き抜け構造が知られている。
【０００３】
図１において、１はリビングルーム、２は吹き抜け、３は天井部分、４はシーリングファン、５は床部分、６はテレビ、７は二階の居室である。
【０００４】
図１に示す住宅では、リビングルーム１から吹き抜け２に至る空間は、他の居室などに比べて天井が高くなっており、高さ方向に室温差が生じ易いので、天井部分３に空気を攪拌するためのシーリングファン４が設置されている。
【０００５】
特に冬場には、二階の冷気が吹き抜け２から降りて一階の床部分５付近に集中するので、一階の床部分５付近を暖めるために床部分５に床暖房装置が備えられている。
【０００６】
また、この他に、吹き抜け構造を備えた住宅において、一階と二階との間の境界部分に折り畳み収納が可能な遮蔽スクリーンが設けられており、この遮蔽スクリーンを広げて吹き抜けの空間を仕切ったり、或いは、この遮蔽スクリーンを収納して吹き抜けの空間を開放したりする吹き抜け構造が出願人自ら提案されている（特許文献１参照）。
【特許文献１】特開２００５−１６３４３７号公報
【発明の開示】
【発明が解決しようとする課題】
【０００７】
しかしながら、最初の従来例の吹き抜け構造では、一階のリビングルーム１の内部の空間が吹き抜け２の分だけ広くなるために、同じ床面積の居室であっても吹き抜けが設けられていない居室に比べて冷暖房コストが掛かるという問題があった。
【０００８】
また、リビングルーム１に居る人の会話や、リビングルーム１に設置されたテレビ６の音などが吹き抜け２を通って二階に伝わり易く、しかも空間が広くて反響し易いために二階の居室７への遮音性を保つのが困難であり、特に夜間においては一階からの音が二階の寝室などに伝わって、この寝室で寝ている人の安眠が妨げられるおそれがあった。
【０００９】
しかも、日中においては、吹き抜け２の二階の窓から差し込んだ日差しが直接リビングルーム１を照らすので、この二階の窓から差し込んだ直射日光により、リビングルーム１に居る人が眩しさを感じるおそれがあった。
【００１０】
さらに、夜間においては、リビングルーム１に居る人にとって、吹き抜け２の開放された空間によって、かえって心理的に落ち着いてくつろげない可能性があった。
【００１１】
そこで、特許文献１の吹き抜け構造では、遮蔽スクリーンにより在宅者の必要に応じて吹き抜け空間を開閉可能とする吹き抜け構造が提案されている。
【００１２】
しかしながら、この吹き抜け構造では、空気の流通量や遮音性能、遮光性能を自在に変えることが困難であった。
【００１３】
本発明は、これらの問題を鑑みてなされたものであり、下階と上階とを貫く吹き抜け空間を必要に応じて開閉可能とし、しかも、空気の流通量や遮音性能、遮光性能を自在に変えることが可能な吹き抜け構造を提供することを目的としている。
【課題を解決するための手段】
【００１４】
上記目的を達成するために請求項１に記載された発明は、住宅の居室上部に吹き抜け空間が設けられ、
該吹き抜け空間と前記居室の空間との境界周縁を構成しかつ対向している側壁に前記境界周縁に沿って一対のレール部材が設けられ、
該一対のレール部材間に架け渡されかつ前記一対のレール部材に沿って移動可能な遮蔽部によって前記居室の空間と前記吹き抜け空間との間を遮蔽可能する遮蔽装置が備えられた吹き抜け構造であって、
前記遮蔽部は、前記架け渡し方向に長い平面視略長方形状の複数の仕切部材によって構成され、該複数の仕切部材はそれぞれ前記一対のレール部材間に架け渡され、該一対のレール部材に沿って摺動可能かつ該摺動方向に回動可能に設けられて、
前記遮蔽装置の未使用時には、前記全ての仕切部材が前記レール部材の一端側に重畳状態で収納され、
前記遮蔽装置の使用時には、前記全ての仕切部材が前記一対のレール部材に沿って等間隔に配置され、該等間隔の状態で前記全ての仕切部材を平行状態に保ちつつ連動させて回動させることによって前記各仕切部材間の隙間量を変化可能とする吹き抜け構造を特徴としている。
【００１５】
そして、請求項２に記載された発明は、前記仕切部材が防音断熱性を有している請求項１に記載の吹き抜け構造を特徴としている。
【００１６】
また、請求項３に記載された発明は、前記仕切部材が透光性を有している請求項１または請求項２に記載の吹き抜け構造を特徴としている。
【００１７】
さらに、請求項４に記載された発明は、前記仕切部材が遮光性を有している請求項１または請求項２に記載の吹き抜け構造を特徴としている。
【発明の効果】
【００１８】
このように構成された本発明の請求項１に記載されたものは、遮蔽装置の未使用時には、全ての仕切部材がレール部材の一端側に重畳状態で収納されて開放状態になっているので、居室に居る人に吹き抜け構造本来の解放感を与えることができる。
【００１９】
また、遮蔽装置の使用時には、等間隔に配置された各仕切部材を連動させて回動させることによって各仕切部材間の隙間量を変化可能にしているので、居室の空間と吹き抜け空間との間の空気の流通量を制御できるだけでなく、仕切部材間の隙間を完全になくして閉成状態にすることによって、居室の空間と吹き抜け空間との間を仕切ることができ、居室に居る人が落ち着いてくつろぐことができる。
【００２０】
そして、請求項２に記載されたものは、仕切部材が防音断熱性を有しているので、仕切部材間の隙間を完全になくした閉成状態では、居室の冷暖房コストを抑制することができ、各仕切部材を連動させて回動させて居室の空間と吹き抜け空間との間の空気の流通量を制御することにより、遮音性能や断熱性能を自在に変えることが可能となる。
【００２１】
また、請求項３に記載されたものは、仕切部材が透光性を有しているので、仕切部材間の隙間を完全になくした閉成状態であっても、居室の空間と吹き抜け空間との間の空気の流通を阻止しつつ光を透過させることができるので、例えば、居室の空間と吹き抜け空間との間を仕切りつつも吹き抜け空間からの光を居室に採光可能である。
【００２２】
さらに、請求項４に記載されたものは、仕切部材が遮光性を有しているので、仕切部材間の隙間を完全になくした閉成状態では、居室の空間と吹き抜け空間との間を完全に遮光することができ、しかも、各仕切部材を連動させて回動させることにより各仕切部材間の隙間量を変化させて遮光性能を自在に変えることが可能となる。
【発明を実施するための最良の形態】
【００２３】
以下、本発明に係る実施の形態を実施例に基づいて説明する。
【実施例１】
【００２４】
〈構成〉
図２および図４は本実施例の吹き抜け構造の全体構成の概略を示し、図３は本実施例の吹き抜け構造が備えられた住宅の一階の間取りを示している。
【００２５】
図３に示すように、本実施例に係る住宅の一階には、リビングルーム１１ａと、和室１１ｂと、キッチン１１ｃと、ダイニング１１ｄと、階段１１ｅとが設けられている。
【００２６】
図２または図４に示すように、一階のリビングルーム１１ａ上部には吹き抜け１０が設けられており、二階には、この吹き抜け１０を取り囲むように廊下１２ａと、さらに、この廊下１２ａを囲むように寝室（図示省略）などの居室とが設けられている。
【００２７】
図３または図４に示すように、本実施例の吹き抜け構造では、一階と二階との間の境界部分に、一階のリビングルーム１１ａの空間と二階の吹き抜け１０の空間との間を仕切ったり、あるいは、開放したりできるスクリーン装置１３が設けられている。
【００２８】
図２〜図４に示すように、吹き抜け１０の空間とリビングルーム１１ａの空間との境界周縁を構成し互いに対向している側壁には、境界周縁に沿って一対のレール部１４，１４が設けられている。
【００２９】
スクリーン装置１３には遮蔽部Ｓが備えられており、この遮蔽部Ｓは複数のスクリーン部材１５によって構成されている。
【００３０】
図５に示すように、スクリーン装置１３は、主に、一対のレール部１４，１４と、複数のスクリーン部材１５と、閉成用ワインダー１６Ａと、開成用ワインダー１６Ｂとによって構成されている。
【００３１】
複数のスクリーン部材１５は一対のレール部１４，１４間にそれぞれ架け渡されており、一対のレール部１４，１４に沿って摺動可能かつ摺動方向に回動可能に設けられている。
【００３２】
なお、本実施例に係る閉成用ワインダー１６Ａと、開成用ワインダー１６Ｂとは内部にギア機構などを備えた電動式であり、スイッチ（図示省略）などの操作によってリール１６ａ，１６ｂがそれぞれ回転駆動される。
【００３３】
図２〜図４に示すように、一対のレール部１４，１４は、一階と二階との間の境界部分の壁面に水平に設置され、閉成用ワインダー１６Ａと、開成用ワインダー１６Ｂとは、それぞれ一階と二階との間の境界部分の外壁側の壁と、二階の廊下１２ａの端部とにそれぞれ設置されている。
【００３４】
図６（ａ）〜図６（ｃ）に示すように、スクリーン部材１５は、一対のレール部１４，１４への架け渡し方向に長い平面視略長方形状のフレーム部１５ａと、フレーム部１５ａの対向している平面部１７，１７に取り付けられた矩形形状の２枚の透明ガラスとによって構成されている。
【００３５】
また、フレーム部１５ａの両側部には、パッキン１５ｂ，１５ｂが貼設されており、フレーム部１５ａが干渉した際に発生する衝突音を消音すると共に、遮蔽部Ｓの閉成時におけるフレーム部１５ａ間の隙間を塞ぐために設けられる。
【００３６】
フレーム部１５ａは、樹脂によって形成され、端面視が略トラック形状（競技用トラックの形状）を呈しており、フレーム部１５ａの両端面からは、スライドピン１８と連結ピン１９とが、それぞれ突設されている。特に閉成方向の前端に設けられるスクリーン部材１５には、図７に示すように、ワイヤー取付ピン２０も突設されている。
【００３７】
なお、図６（ｃ）に示すように、フレーム部１５ａの平面部１７，１７に挟まれた空間は中空になっているので、フレーム部１５ａ自体が、ある程度の防音断熱性を有している。
【００３８】
図５に示すように、一対のレール部１４，１４には、複数のスクリーン部材１５の各スライドピン１８，１８がレール部１４，１４に沿って摺動可能かつスライドピン１８，１８を回動軸として摺動方向に回動可能に取り付けられている。
【００３９】
複数のスクリーン部材１５の各連結ピン１９には、連結ピン１９に対して回動可能に取り付けられた取付部材（図示省略）を介して連結ワイヤー２１が取り付けられ、隣り合う複数のスクリーン部材１５は連結ワイヤー２１と上記取付部材とによって互いに連結されている。
【００４０】
図５に示すように、一対のレール部１４，１４の溝部には、リビングルーム１１ａの外壁寄りに、遮蔽部Ｓを閉成する際に、閉成方向前端のスクリーン部材１５のスライドピン１８を係止するためのストッパー部１４Ａが設けられている。
【００４１】
また、一対のレール部１４，１４の溝部には、二階の廊下１２ａ寄りに、閉成方向後端のスクリーン部材１５の摺動を制止するためのストッパー部１４Ｂａ，１４Ｂｂが設けられている。
【００４２】
閉成方向前端のスクリーン部材１５の連結ピン１９には、さらに、上記取付部材を介して閉成用ワイヤー２２Ａの一端が回動可能に取り付けられ、閉成用ワイヤー２２Ａの他端は、閉成用ワインダー１６Ａのリール部１６ａに固定されている。
【００４３】
また、閉成方向前端のスクリーン部材１５に設けられたワイヤー取付ピン２０には、上記取付部材を介して開成用ワイヤー２２Ｂの一端が回動可能に取り付けられ、開成用ワイヤー２２Ｂの他端は、開成用ワインダー１６Ｂのリール部１６ｂに固定されている。
【００４４】
なお、本実施例に係るスクリーン装置１３には、図示が省略されているが、閉成用ワインダー１６ａと、開成用ワインダー１６ｂとを駆動するための駆動機構および、この駆動機構を制御するための制御機構や電力を供給する電源装置なども備えられている。
【００４５】
〈スクリーン装置１３の動作〉
スクリーン装置１３の遮蔽部Ｓを閉成する場合には、図７（ａ）に示すように、吹き抜け１０が開放された状態で閉成用ワインダー１６Ａを駆動して、閉成用ワイヤー２２Ａの巻き取りを開始する。
【００４６】
閉成用ワイヤー２２Ａの一端は閉成用ワインダー１６Ａのリール部１６ａに固定されており、閉成用ワイヤー２２Ａの他端は閉成方向前端のスクリーン部材１５の連結ピン１９に回動可能に取り付けられているので、閉成用ワイヤー２２Ａがリール部１６ａに巻き取られるに伴い、閉成方向前端のスクリーン部材１５は閉成方向に移動を開始する。
【００４７】
閉成方向前端のスクリーン部材１５が閉成方向に移動すると、このスクリーン部材１５と開成方向側の他のスクリーン部材１５とを連結している連結ワイヤー２１によって、開成方向側の他のスクリーン部材１５が引っ張られ閉成方向に移動を開始する。
【００４８】
図７（ｂ）に示すように、次々と隣りのスクリーン部材１５が移動して、各スクリーン部材１５がほぼ等間隔の状態になったところで、図７（ｃ）に示すように、レール部１４，１４に設けられたストッパー部１４Ａにより閉成方向前端のスクリーン部材１５のスライドピン１８が係止される。
【００４９】
そして、閉成方向前端のスクリーン部材１５のスライドピン１８が係止された状態で、なお、閉成用ワインダー１６Ａにより閉成用ワイヤー２２Ａを巻き取ると、図７（ｄ）に示すように、閉成方向前端のスクリーン部材１５がスライドピン１８を軸として回動を開始する。
【００５０】
そして、さらに閉成用ワイヤー２２Ａを巻き取ると、図７（ｅ）に示すように、各スクリーン部材１５が水平状態となるので、閉成用ワインダー１６Ａを停止する。
【００５１】
スクリーン装置１３の遮蔽部Ｓを開成する場合には、図７（ｅ）に示す閉成状態から閉成用ワインダー１６Ａによる閉成用ワイヤー２２Ａの巻き取りを解除すると共に開成用ワインダー１６Ｂによる開成用ワイヤー２２Ｂの巻き取りを開始する。
【００５２】
そして、閉成用ワイヤー２２Ａの巻き取りが解除されると、図７（ｄ）に示すように、各スクリーン部材１５が傾斜した状態を経て、図７（ｃ）に示すように、各スクリーン部材１５がほぼ鉛直となる状態にいたる。
【００５３】
さらに、開成用ワイヤー２２Ｂを巻き取ると、閉成方向前端のスクリーン部材１５が開成用ワイヤー２２Ｂのより開成方向に引っ張られ、このスクリーン部材１５と開成方向側の他のスクリーン部材１５とが接触して、開成方向側の他のスクリーン部材１５が、閉成方向前端のスクリーン部材１５に押されて開成方向に移動を開始する。
【００５４】
図７（ｂ）に示すように、次々と隣りのスクリーン部材１５が移動して、図７（ａ）に示すように、レール部１４，１４に設けられたストッパー部１４Ｂｂにより開成方向前端のスクリーン部材１５のスライドピン１８が係止され、各スクリーン部材１５がほぼ隣接した状態になったところで、開成用ワインダー１６Ａが停止される。
【００５５】
以上、図７（ａ）に示すように、スクリーン装置１３の未使用時には、全てのスクリーン部材１５がレール部１４，１４の一端側に重畳状態で収納され、図７（ｃ）〜図７（ｅ）に示すように、スクリーン装置１３の使用時には、全てのスクリーン部材１５が一対のレール部１４，１４に沿って等間隔に配置され、等間隔の状態で全てのスクリーン部材１５を平行状態に保ちつつ連動させて回動させることによって各スクリーン部材１５間の隙間量を変化可能としている。
【００５６】
このように、本実施例のスクリーン装置１３では、図７（ｃ）に示す各スクリーン部材１５の鉛直状態から図７（ｅ）に示す各スクリーン部材１５の水平状態の任意の回動位置で、各スクリーン部材１５の回動を停止させることができるようになっている。このような回動途中での停止状態の維持は、例えば、上記ギア機構のギア比を設定することによって可能となる。
【００５７】
〈作用効果〉
スクリーン装置１３の未使用時には、全てのスクリーン部材１５がレール部１４，１４の一端側に重畳状態で収納されて開放状態になっているので、リビングルーム１１ａに居る人に吹き抜け構造本来の解放感を与えることができる。
【００５８】
また、スクリーン装置１３の使用時では、等間隔に配置された各スクリーン部材１５を連動させて回動させることによって、図７（ｃ）の鉛直状態から図７（ｅ）の水平状態までの任意の回動位置で各スクリーン部材１５の回動を停止させることができ、各スクリーン部材１５間の隙間量を変化可能としているので、リビングルーム１１ａの空間と吹き抜け１０との間の空気の流通量を制御できる。
【００５９】
しかも、スクリーン部材１５間の隙間を完全になくして閉成状態にすることによって、リビングルーム１１ａの空間と吹き抜け１０との間を仕切ることができるので、リビングルーム１１ａの空間を小空間にすることにより、冷暖房の効率を高めることが可能となるだけでなく、特に、夜間においては、リビングルーム１１ａに居る人が上階のプライベートルームへの騒音などをあまり気にすることなく仕切られたリビングルーム１１ａの小空間でくつろぐことができる。
【００６０】
そして、本実施例のスクリーン部材１５は防音断熱性を有しているので、スクリーン部材１５間の隙間を完全になくした閉成状態では、リビングルーム１１ａの冷暖房コストを抑制することができ、各スクリーン部材１５を連動させて回動させてリビングルーム１１ａの空間と吹き抜け１０との間の空気の流通量を制御することにより、遮音性能や遮光性能を自在に変えることが可能となる。
【００６１】
さらに、スクリーン部材１５が透光性を有しているので、スクリーン部材１５間の隙間を完全になくした閉成状態であっても、リビングルーム１１ａの空間と吹き抜け１０との間の空気の流通を阻止しつつ光を透過させることができるので、例えば、リビングルーム１１ａの空間と吹き抜け１０との間を仕切りつつも吹き抜け１０からの光をリビングルーム１１ａに採光可能である。
【実施例２】
【００６２】
以下、実施例２について実施例１とは異なる部分を中心に説明し、実施例１と同一乃至均等な部分については説明を省略する。なお、図面の符号については、実施例１と同一乃至均等な部分は同一の符号を付すものとする。
【００６３】
〈構成〉
実施例１のスクリーン部材１５の平面部１７，１７には透光性の２枚の透明ガラスが用いられていたが、本実施例では平面部１７，１７に遮光性の２枚の不透明材料を用いる。
【００６４】
なお、この場合、平面部１７，１７はフレーム部１５ａと一体形成されていてもよい。
【００６５】
〈作用効果〉
スクリーン部材１５が遮光性を有しているので、スクリーン部材１５間の隙間を完全になくした閉成状態では、リビングルーム１１ａの空間と吹き抜け１０との間を完全に遮光することができ、各スクリーン部材１５を連動させて回動させて各スクリーン部材１５間の隙間量を変化させることにより、遮光性能（あるいは、光の透過量）を自在に変えることが可能となる。
【００６６】
以上、図面を参照して、本発明の最良の実施の形態を詳述してきたが、具体的な構成は、この実施の形態に限らず本発明の要旨を逸脱しない程度の設計的変更は本発明に含まれる。
【００６７】
なお、本実施例では、閉成用ワインダー１６Ａおよび開成用ワインダー１６Ｂは電動式のものとしたが、必ずしも電動でなくてもよい。例えば、ラチェット機構が備えられたチェーンブロックなどの手動動作のものであってもよい。
【００６８】
また、本実施例では、スクリーン部材１５の平面部１７には透明ガラスなどを用いたが、半透明のものを使用したり、表面反射率が高いものやハーフミラーなどを使用してもよい。
【図面の簡単な説明】
【００６９】
【図１】従来例の吹き抜け構造を示す斜視図である。
【図２】本発明の吹き抜け構造の全体構成の概略を示す斜視図である。
【図３】本発明に係る建物の一階部分の間取り図である。
【図４】本発明に係る建物の部分断面図であり、図３のＡ−Ａ断面図である。
【図５】本発明に係るスクリーン装置を示す側面図であり、図４のスクリーン装置部分の拡大図である。
【図６】本発明に係るスクリーン部材を示す図であり、（ａ）は斜視図、（ｂ）は平面図、（ｃ）は端面図である。
【図７】本発明に係るスクリーン装置の動作を示す側面図であり、（ａ）は吹き抜け空間を開放した状態、（ｃ）は吹き抜け空間を閉成する方向前端のスクリーン部材の回動軸がレール部のストッパー部に突き当たった状態、（ｅ）は吹き抜け空間を仕切った状態である。また、（ｂ）は（ａ）と（ｃ）との途中状態、（ｄ）は（ｃ）と（ｅ）との途中状態であり、（ｃ）〜（ｅ）は各スクリーン部材が回動する様子を示している。
【符号の説明】
【００７０】
１０                    吹き抜け（吹き抜け空間）
１１ａ                  リビングルーム（居室）
１３                    スクリーン装置（遮蔽装置）
１４                    レール部（レール部材）
１５                    スクリーン部材（仕切部材）
Ｓ                      遮蔽部
【図１】
2008285816.tif 000003
【図２】
2008285816.tif 000004
【図３】
2008285816.tif 000005
【図４】
2008285816.tif 000006
【図５】
2008285816.tif 000007
【図６】
2008285816.tif 000008
【図７】
2008285816.tif 000009